(57)【特許請求の範囲】
【請求項１】
監視制御対象が状態変化したときに送信されるイベントを蓄えるとともに当該イベントをリストにして表示する監視制御システムであって、
イベントを受信する入力部と、
受信したイベントを蓄積してリストとして保持するリスト保持部と、
前記リストを表示して該リストからオペレータに任意のイベントを選択させるとともに、選択されたイベントに応じて情報処理部が選別した選択イベントと同じグループのイベントを予め記憶された各イベント種別に対応する強調表示の形態に基づき背景色を他とは異なる色にしたり文字を太字にしたりして強調表示する表示部と、
イベントと該イベントのグループが記憶されたイベント属性データベースと、
前記イベントが選択された際、前記イベント属性データベースに記憶されたイベントのグループに基づいて、前記リスト中のイベントを当該選択されたイベントデータと同じグループのものとそうでないものとに選別する前記情報処理部とを備え、
前記イベント属性データベースには、イベントと該イベントの種別が記憶され、
前記表示部は、イベントの種別毎に前記強調表示を異なるものとし、イベントの種別をリストにして表示してオペレータに任意のものを選択させるとともに、選択された種別のイベントを強調表示し、異なるグループの複数のイベントが選択された際、イベントのグループ毎に前記強調表示を異なるものとする
ことを特徴とする監視制御システム。
【発明の詳細な説明】
【技術分野】
【０００１】
本発明は、例えば複数の開閉器が設置された変電所等である複数の監視制御対象が存在するプラント等に設置され、監視制御対象で発生する故障等の状態変化をＨＭＩ（Ｈｕｍａｎ  Ｍａｃｈｉｎｅ  Ｉｎｔｅｒｆａｃｅ）上にリスト形式で表示する監視制御システムに関するものである。
【背景技術】
【０００２】
このような監視制御システムにおいては、監視制御対象が状態変化したときに送信されるイベントデータを蓄積しておき、これをリスト形式にして表示する。すなわち、オペレータが監視制御対象において過去にどのようなイベント（状態変化）が発生したかを調査する目的でイベントリスト画面が用意されている。
【０００３】
そして、このイベントリスト画面においては、従来、オペレータの調査作業を容易にするために所定の条件に合うイベントのみを表示するフィルタリング機能が設けられているものがある。このフィルタリング機能は、例えば、イベントリスト画面上にアイコンを設け、このアイコンをマウス等でクリックすることによりポップアップウィンドウが表示され、このウィンドウの中に検索条件を設定することでフィルタリングするようにされている（例えば、特許文献１参照）。
【０００４】
また、従来の監視制御システムでは、イベントの種類に従って、リスト上に表示される文字の色を変え、発生したイベントの視認性を良くしたものも提案されている。
【０００５】
【特許文献１】特開２００３−０５８９６５号公報
【発明の開示】
【発明が解決しようとする課題】
【０００６】
上記技術において、例えば、監視対象が変電所の遮断機だった場合、遮断機のアラームが発生した際には、イベントリスト画面の内容を調査し、その遮断機がアラーム発生前後でどのような動作をしたか、対象の遮断機において他のアラームが発生していないか、対象の遮断機以外では何か異常は無かったかなどを調査することになる。
【０００７】
これに対し上記従来のシステムでは、イベントリスト画面で過去に発生したイベントの内容を調査する際、フィルタリング無しでは解析に不要なイベントが多く表示されるため解析が困難になるという問題があった。またフィルタリング機能を使う場合においても、フィルタリングの条件を設定するのが面倒であるといった問題や、フィルタリングの条件から外れたイベントが表示されないために条件を適切に設定しないと解析に必要なイベントを見落とす可能性があるといった問題があった。また、イベントの種類ごとにイベントリスト画面上の文字色を変える場合でも、通常は複数の監視対象で発生した同種のイベントが多数表示されるので、やはり解析は困難であるという問題があった。
【０００８】
この発明は、上述の課題を解決するためになされたもので、過去に発生したイベントの内容を調査する際、調査に必要なイベントを適切に抽出しながら、調査作業を容易に進めることのできる監視制御システムを得るものである。
【課題を解決するための手段】
【０００９】
上述した課題を解決し、目的を達成するために、本発明は、監視制御対象が状態変化したときに送信されるイベントを蓄えるとともにイベントをリストにして表示する監視制御システムであって、イベントを受信する入力部と、受信したイベントを蓄積してリストとして保持するリスト保持部と、リストを表示してリストからオペレータに任意のイベントを選択させるとともに、選択されたイベントに基づいて情報処理部が選別した選択イベントと同じグループのイベントを強調表示する表示部と、イベントとイベントのグループが記憶されたイベント属性データベースと、イベントが選択された際、イベント属性データベースに記憶されたイベントのグループに基づいて、リスト中のイベントを選択されたイベントデータと同じグループのものとそうでないものとに選別する情報処理部とを備えたことを特徴とする。
【発明の効果】
【００１０】
この発明によれば、強調表示により、イベントの発生状況が把握しやすくなり、必要な情報を見落とす可能性が低くなり、過去に発生したイベントの内容を調査する際、調査に必要なイベントを適切に抽出しながら、調査作業を容易に進めることができるという効果を奏する。
【発明を実施するための最良の形態】
【００１１】
以下に、本発明にかかる監視制御システムの実施の形態を図面に基づいて詳細に説明する。なお、この実施の形態によりこの発明が限定されるものではない。
【００１２】
実施の形態１．
図１は本発明にかかる実施の形態１の監視制御システムを含むシステム全体のハードウェア構成図である。図１において、１０１は監視対象の状態を表示するＨＭＩ、１０２は監視対象からの信号を収集し、ＨＭＩ１０１へ送信する端末装置、１０３ａおよび１０３ｂは変電所における開閉器等の監視対象、１０４は端末装置１０２からＨＭＩ１０１へ信号を送信するためのＬＡＮ（Ｌｏｃａｌ  Ａｒｅａ  Ｎｅｔｗｏｒｋ）である。図１においては、監視対象を２個のみ示しているが、一般的に監視対象はさらに多数となる。
【００１３】
ＨＭＩ１０１は一般的なパーソナルコンピュータやワークステーションに、端末装置１０２からの信号を受信する機能や、画面の表示を行う機能を持つソフトウェアを組み込んだものである。端末装置１０２は、監視対象１０３ａ、１０３ｂで発生する動作や故障等のイベントをＯＮ／ＯＦＦの電気信号等で取り込み、このイベントをＨＭＩ１０１が扱える電子データに変換し、またこれにイベント発生時刻を付加してＬＡＮ１０４に送り出す機能を持つ。
【００１４】
図２は監視対象１０３ａ、１０３ｂで発生した動作や故障等のイベントを時系列のメッセージとしてＨＭＩ１上に表示する一般的なイベントリスト画面である。なお、本実施の形態の特徴的なイベントリスト画面は後述する。監視対象１０３ａ、１０３ｂで何らかのイベントが発生した際には、イベントが発生した時刻とイベント名称、電気信号の値に対応する動作名称がイベントリスト画面２０１に表示される。イベントリスト画面２０１は、オペレータの操作によって任意にＨＭＩ１上に表示、消去できるようにされている。
【００１５】
図３は端末装置１０２の機能ブロック図である。監視対象１０３ａ、１０３ｂで発生したイベントがイベントリスト画面２０１に表示されるまでの処理の流れは以下の通りである。入力部４０１は、監視対象１０３ａ、１０３ｂからの信号を監視しており、信号が変化するとどの信号がどのように変化したのかを、データ変換部４０２へ通知する。データ変換部４０２は、受信した信号に対応するＩＤ番号、変化後の信号の値、および内部時計４０３から取得した時刻を含んだ図４に示す電子データを生成し、出力部４０４に送信する。出力部４０４は、受信した電子データを、ＨＭＩ１０１に向けてＬＡＮ１０４上に送出する。
【００１６】
図５はＨＭＩ１に組み込まれたソフトウェアの構成を示す機能ブロック図である。入力部６０１は端末装置１０２から送信された電子データをＬＡＮ１０４から受信し、リスト保持部６０２に送信する。リスト保持部６０２は受信した電子データを電子データ中に含まれる時刻データを参照して時系列リストとして保持する。オペレータがイベントリスト画面２０１を表示する際には、オペレータはマウス等の操作により、表示部６０３にイベントリスト表示要求を行う。
【００１７】
表示部６０３はイベントリスト表示要求を受けると、情報処理部６０４にイベントリスト要求を通知する。情報処理部６０４は、イベントリスト要求を受けると、リスト保持部６０２から電子データの時系列リストを取り出し、表示部６０３に送信する。表示部６０３は時系列リストを受信すると、時系列リスト中の電子データ毎に、イベント属性データベース（以降、イベント属性ＤＢ）６０５から対応するイベント名称と動作名称を取得してイベントリストを生成する。
【００１８】
表示部６０３は、各電子データに対応するイベントデータを、電子データのＩＤ番号とイベントデータのＩＤ値を比較することで検索し、一致したイベントデータのイベント名称と動作名称を取得することで、イベントリストを生成する。イベントリストを生成すると、表示部６０３はＨＭＩ画面上にイベントリスト画面２０１を表示する。
【００１９】
なお、イベント属性ＤＢ６０５は、監視対象１０３ａ、１０３ｂが持つ監視対象信号に対応する図７に示すイベントデータを収めたデータベースである。本実施の形態のイベントデータ８０１は、図７に示すように、従来のイベントデータ７０１（図６）と比べて、“ＩＤ”、“イベント名称”、“信号値０動作名称”および“信号値１動作名称”といった従来と同じデータに加えてイベントのグループＩＤが加えられている。
【００２０】
図５に戻り、表示部６０３は、イベントリスト画面２０１を表示した後、オペレータがイベントリスト画面２０１上の一つのイベントがマウスクリック等で選択されるのを待つ。イベントが選択されたら、選択されたイベントを情報処理部６０４に通知する。
【００２１】
情報処理６０４は、選択されたイベントが通知されると、イベント属性ＤＢ６０５を参照してそのイベントが持つグループＩＤを取得する。グループＩＤを取得したら、リスト保持部６０２から電子データの時系列リストを取り出し、時系列リスト中の電子データごとにイベント属性ＤＢ６０５に問い合わせて、先ほど取得したグループＩＤを持つ電子データを選別する。その後、選別した電子データのリストを、表示部６０３に送信する。
【００２２】
表示部６０３は選別された電子データのリストを受信したら、受信した電子データに対応するイベントを強調表示した形で、ＨＭＩ画面上に図８に示すようなイベントリスト画面９０１を表示する。
【００２３】
図８では、一例として、「監視対象Ｂ  故障１  発生」というイベントを選択した状態を示している。「監視対象Ｂ  故障１  発生／復帰」、「監視対象Ｂ  故障３  発生／復帰」は予めイベントデータ８０１のグループＩＤに同じ値を設定しておく。これにより、「監視対象Ｂ  故障１  発生」、「監視対象Ｂ  故障１  復帰」、「監視対象Ｂ  故障３  発生」の３つのイベントが強調表示されている。
【００２４】
ここで、強調表示とは、イベントが表示されている行の背景色を他の行とは異なる色にすることや、表示されているイベントの文字を太字にすることなどであるが、特に何れかの方法に特定されるものではない。
【００２５】
このような構成の監視制御システムにおいては、例えば監視対象１０３ａが変電所の遮断機である場合は、遮断機の動作信号と遮断機の持つ各種アラーム信号、および遮断機をトリップさせる保護リレーの動作信号に対するイベントデータに同じグループＩＤを設定しておくことで、例えば遮断機のアラームイベントをイベントリスト画面２０１上でマウスクリック等により選択すると、同リスト上に遮断機の動作イベントや遮断機をトリップさせる保護リレーの動作イベントが有る場合には、それらが強調表示される。
【００２６】
上記強調表示により、実際に遮断機のアラームが発生してイベントリスト画面２０１の内容を調査する際、対象の遮断機のアラーム発生前後の動作や、対象の遮断機における他のアラームの発生状況が把握しやすくなり、また同時に対象の遮断機以外で発生したイベントも表示されたままになるので見落とす可能性が低くなり、調査作業が容易に行えるようになる。
【００２７】
実施の形態２．
上述の実施の形態１は、オペレータがイベントリスト画面２０１上に表示された所定のイベントをマウスクリック等で選択すると、そのイベントに関連する他のイベントをイベントリスト画面上で強調表示するというものであった。本実施の形態においては、表示部６０３は、強調表示するイベントの種別によって強調表示の形態を異なるものにする。
【００２８】
本実施の形態のイベントデータ１００１においては、実施の形態１の図７に示すイベントデータ８０１に対して、図９に示すようにイベント種別が加えられている。また表示部６０３は、各イベント種別に対応する強調表示の形態を記憶している。
【００２９】
動作について説明する。本実施の形態では、表示部６０３が情報処理部６０４によって選別された電子データを受信した際、表示部６０３は受信した電子データごとにイベント属性ＤＢ６０５に問い合わせて、各電子データのイベント種別を取得する。表示部６０３はイベントを強調表示する際、取得したイベント種別にしたがって、内部に記憶している強調表示の形態を選択する。強調表示の形態としては、一例として、イベントが表示されている行の背景色を、イベント種別毎に異なる色とする。
【００３０】
このようにすることにより、例えば監視対象１０３ａが変電所の遮断機だった場合に、遮断機の動作信号を強調表示する際には背景色を青、遮断機のアラーム情報を強調表示する場合には赤というように、イベントの種別によって色分け表示ができるようになる。
【００３１】
以上のように本実施の形態においては、実施の形態１に比べてより容易に発生したイベントの内容を認識することができ、イベントリスト画面２０１の内容を調査する際、その作業をより容易にすることができる。
【００３２】
実施の形態３．
上述の実施の形態２は、イベントを強調表示する際、イベントの種別によって自動で色分け表示するようにしたが、本実施の形態では、強調表示するイベントの種類を、オペレータが手動で選択できるようにしている。
【００３３】
本実施の形態では、イベントリスト画面２０１に対し、図１０に示すような強調表示するイベントの種類を選択するための選択ボタン１１０１を設ける。図１０においては、選択ボタン１１０１が２つのみ表示されているが、選択ボタン１１０１は、実施の形態２で設けたイベント種別の数だけ表示される。
【００３４】
動作について説明する。本実施の形態では、オペレータが選択ボタン１１０１の内の一つまたは複数を、任意のタイミングでマウスクリック等により選択できるようにしておく。実施の形態２と同じように、表示部６０３が情報処理部６０４によって選別された電子データを受信した際、表示部６０３は受信した電子データごとにイベント属性ＤＢ６０５に問い合わせて、各電子データのイベント種別を取得する。次に表示部６０３は、選択ボタン１１０１の状態を調べ、選択されているイベントの種類を取得する。次に表示部６０３は、各電子データのイベント種別が、選択ボタン１１０１によって選択されている種類に一致するかどうかを調べ、一致するもののみを強調表示した形で、ＨＭＩ画面上にイベントリスト画面を表示する。
【００３５】
このようにすることにより、本実施の形態においては、イベントリスト画面２０１の内容を調査する際、オペレータが必要とするイベントのみを強調表示することができるようになり、実施の形態１に比べてより容易に調査作業を行うことができる。
【００３６】
実施の形態４．
本実施の形態では、実施の形態１においてイベントリスト画面２０１で異なるグループに属する複数のイベントを選択したとき、グループごとに強調表示の形態を異なるものにする。例えば、イベントが表示されている行の背景色を、グループごとに異なる色にする。本実施の形態の表示部６０３は内部に複数の強調表示の形態を記憶しておく。
【００３７】
動作について説明する。本実施の形態では、表示部６０３は、オペレータがイベントリスト画面２０１上の一つのイベントが選択された際、内部に記憶している強調表示の形態を一つ選択する。その後、表示部６０３は、選択した強調表示の形態でイベントを強調表示した形で、イベントリスト画面を表示する。次にオペレータがイベントリスト画面２０１上で最初に選択したイベントのグループと異なるグループに属するイベントを選択すると、表示部６０３は、内部に記憶している強調表示の形態の中から、最初に選択した形態とは別の形態を一つ選択する。その後、表示部６０３は、二番目に選択した強調表示の形態でオペレータが二番目に選択したイベントを強調表示した形で、イベントリスト画面を表示する。このとき、オペレータが最初に選択したイベントについては、イベントリスト画面２０１上に強調表示を施したままで残しておく。
【００３８】
このようにすることにより、イベントリスト画面２０１の内容を調査する際、イベントリスト画面２０１で異なるグループに属する複数のイベントを選択すると、それらはグループごとに異なる強調表現が施されることになり、複数グループ間の混同を防ぐことができる。
【００３９】
このような構成の監視制御システムにおいては、発生したイベントの内容をさらに容易に認識することができ、イベントリスト画面２０１の内容を調査する際、その作業をより容易にすることができる。
【００４０】
上記実施の形態１から４においては、この発明にかかる監視制御システムの用途として変電所の監視制御システムを例に挙げて説明したが、これに限らず、上下水道のプラント向け監視制御システムや工業用機械の動作を監視するシステムなど、種々の監視制御システム対して容易に適用することができる。また、システムの構成は図１に示すものに限定されず、例えば端末装置１０２が持つ機能をＨＭＩ１０１に組み込み、端末装置１０２を省いた構成としても、本発明の監視制御システムを実現することができる。
【産業上の利用可能性】
【００４１】
以上のように、本発明にかかる監視制御システムは、監視制御対象が状態変化したときに送信されるイベントを蓄えて、これをリストにして表示する監視制御システムに有用であり、具体的には、変電所の監視制御システム、上下水道のプラント向け監視制御システム、及び工業用機械の動作を監視するシステムなどに適している。
【図面の簡単な説明】
【００４２】
【図１】本発明にかかる実施の形態１の監視制御システムを含むシステム全体のハードウェア構成図である。
【図２】強調表示を施してないイベントを時系列表示するイベントリスト画面を示す図である。
【図３】端末装置の機能ブロック図である。
【図４】端末装置のデータ変換部によって生成される電子データを示す図である。
【図５】ＨＭＩの機能ブロック図である。
【図６】イベントの属性を保持するイベントデータを示す図である。
【図７】実施の形態１におけるグループＩＤを追加したイベントデータを示す図である。
【図８】実施の形態１における強調表示を施したイベントリスト画面を示す図である。
【図９】実施の形態２におけるさらにイベント種別を追加したイベントデータを示す図である。
【図１０】イベント種別選択ボタンが設けられたイベントリスト画面を示す図である。
【符号の説明】
【００４３】
１０１  ＨＭＩ
１０２  端末装置
１０３ａ，１０３ｂ  監視対象
１０４  ＬＡＮ
２０１  イベントリスト画面
４０１  端末装置の入力部
４０２  端末装置のデータ変換部
４０３  端末装置の内部時計
４０４  端末装置の出力部
５０１  電子データ
６０１  ＨＭＩの入力部
６０２  ＨＭＩのリスト保持部
６０３  ＨＭＩの表示部
６０４  ＨＭＩの情報処理部
６０５  イベント属性データベース
７０１，８０１，１００１  イベントデータ
９０１，１１０２  イベントリスト画面
１１０１  イベント種別選択ボタン
【図１】
0004874213.tif 000002
【図２】
0004874213.tif 000003
【図３】
0004874213.tif 000004
【図４】
0004874213.tif 000005
【図５】
0004874213.tif 000006
【図６】
0004874213.tif 000007
【図７】
0004874213.tif 000008
【図８】
0004874213.tif 000009
【図９】
0004874213.tif 000010
【図１０】
0004874213.tif 000011